(57)【要約】【課題】  血管の評価に適した血管の分離を可能とする。【解決手段】  画像処理装置は、検眼の複数の断層画像からモーションコントラスト画像を生成する生成手段と、前記モーションコントラスト画像の深さ方向に交わる方向における画素列の代表値を取得する取得手段と、前記代表値に基づいて、前記モーションコントラスト画像のセグメンテーションを行う処理手段と、を備える。【選択図】  図３
2019150554.tif 000002
【特許請求の範囲】
【請求項１】
被検眼の複数の断層画像からモーションコントラスト画像を生成する生成手段と、
前記モーションコントラスト画像の深さ方向に交わる方向における画素列の代表値を取得する取得手段と、
前記代表値に基づいて、前記モーションコントラスト画像のセグメンテーションを行う処理手段とを有することを特徴とする画像処理装置。
【請求項２】
前記代表値は、前記モーションコントラスト画像の少なくとも網膜に対応する領域において、深さ方向に交わる画素列ごとの画素値の積算値または加算平均値を含むことを特徴とする請求項１に記載の画像処理装置。
【請求項３】
前記処理手段は、前記代表値をグラフ化した場合の複数のピークを求める手段を含み、
前記求めた複数のピークに基づいて、セグメンテーションを行うことを特徴とする請求項２に記載の画像処理装置。
【請求項４】
前記モーションコントラスト画像は３次元の画像であり、前記セグメンテーションの結果に基づいて、セグメンテーションされた複数の分割領域から、画像を生成する分割領域を選択する手段と、
前記選択された分割領域の画素値を深さ方向に積算した画像を生成する手段とを更に有することを特徴とする請求項１乃至３のいずれか１項に記載の画像処理装置。
【請求項５】
前記画素列は、前記モーションコントラスト画像において所定の角度を有する近似直線、又は、近似曲線に沿った画素列であることを特徴とする請求項２に記載の画像処理装置。
【請求項６】
前記所定の角度は、特定の領域の画素列に基づいて生成される近似直線が、前記深さ方向となす角度であることを特徴とする請求項５に記載の画像処理装置。
【請求項７】
前記モーションコントラスト画像から血管の位置、輝度、輝度分布の少なくともいずれかの情報を得ることを特徴とする請求項１乃至６のいずれか１項に記載の画像処理装置。
【請求項８】
前記モーションコントラスト画像から血管を抽出する手段を更に有し、
前記処理手段は、抽出した血管を血管層としてセグメンテーションすることを特徴とする請求項１乃至７のいずれか１項に記載の画像処理装置。
【請求項９】
前記モーションコントラスト画像から血管を抽出する手段を更に有し、
前記処理手段は、前記抽出した血管の最下端を脈絡膜の血管とし、脈絡膜をセグメンテーションすることを特徴とする請求項１乃至７のいずれか１項に記載の画像処理装置。
【請求項１０】
前記血管層の間隔を求める手段と、
前記求めた間隔を、データベースのデータ、又は、前回の検査データと比較する手段とを更に有することを特徴とする請求項８に記載の画像処理装置。
【請求項１１】
前記代表値は、前記深さ方向の長さが所定の条件を満たす画素値を除いた前記画素列の画素値の積算値または加算平均値であることを特徴とする請求項２に記載の画像処理装置。
【請求項１２】
被検眼の複数の断層画像からモーションコントラスト画像を生成する生成工程と、
前記モーションコントラスト画像の深さ方向に交わる方向における画素列の代表値を取得する取得工程と、
前記代表値に基づいて、前記モーションコントラスト画像のセグメンテーションを行う処理工程とを有することを特徴とする画像処理装置の制御方法。
【発明の詳細な説明】
【技術分野】
【０００１】
本明細書の開示は、画像処理装置およびその制御方法に関する。
【背景技術】
【０００２】
低コヒーレンス光による干渉を利用した光干渉断層撮像装置（Ｏｐｔｉｃａｌ  Ｃｏｈｅｒｅｎｃｅ  Ｔｏｍｏｇｒａｐｈｙ：以下、ＯＣＴ装置）が眼科機器として実用化されている。ＯＣＴ装置は、眼底の網膜の３次元構造を撮像、描出が可能である。
【０００３】
例えば、網膜の各層の分離を行うために深さ方向の輝度の変化から層境界を検出することが知られていた（特許文献１）。
【０００４】
近年は、単に網膜構造のみならず、連続して取得された断層像間の信号の変化を検出して網膜の血管を非浸襲に描出するＯＣＴアンギオグラフィー（ＯＣＴ  Ａｎｇｉｏｇｒａｐｙ：以下、ＯＣＴＡ）が開発されている（特許文献２）。
【先行技術文献】
【特許文献】
【０００５】
【特許文献１】特開２０１６−１５２９６２号公報
【特許文献２】特開２０１８−８９１６０号公報
【発明の概要】
【発明が解決しようとする課題】
【０００６】
特許文献２には、ＯＣＴＡによる血管画像（ＯＣＴＡ画像）を生成する際に抽出する血管の深度範囲を容易に指定するための構成が開示されている。しかしながら、血管の評価に適した血管の分離方法については開示がない。
【０００７】
本明細書の開示は、血管の評価に適した血管の分離方法を提供することを目的の１つとする。
【０００８】
なお、前記目的に限らず、後述する発明を実施するための形態に示す各構成により導かれる作用効果であって、従来の技術によっては得られない作用効果を奏することも本明細書の開示の他の目的の１つとして位置付けることができる。
【課題を解決するための手段】
【０００９】
本発明の画像処理装置は、被検眼の複数の断層画像からモーションコントラスト画像を生成する生成手段と、前記モーションコントラスト画像の深さ方向に交わる方向における画素列の代表値を取得する取得手段、前記代表値に基づいて、前記モーションコントラスト画像のセグメンテーションを行う処理手段とを有する。
【発明の効果】
【００１０】
本明細書の開示によれば、血管の評価に適した血管の分離ができる。
【図面の簡単な説明】
【００１１】
【図１】装置構成の一例を示す図である。
【図２】スキャンパターンの一例を示す図である。
【図３】血管に相当する部分の積算値の一例を示す図である。
【図４】血管を用いた層分離の手順の一例を示す図である。
【図５】ＯＣＴＡ画像の取得手順の一例を示す図である。
【図６】血管に相当する部分の積算値の一例を示す図である。
【図７】血管を用いた層分離の手順の一例を示す図である。
【図８】血管に相当する部分の積算値の一例を示す図である。
【図９】ＯＣＴＡ画像の一例を示す図である。
【図１０】表示態様の一例を示す図である。
【図１１】画角の広いＯＣＴ画像の一例を示す図である。
【発明を実施するための形態】
【００１２】
以下、本発明の一実施形態を、図面を用いて詳細に説明する。以下の説明は本質的に、説明的及び例示的なものにすぎず、いかなる形でも、本開示及びその用途又は使用を限定することを意図していない。実施形態において示されるコンポーネントの相対的構成、並びに、ステップ、数値表現及び数値は、別段の具体的な指示がない限り、本開示の範囲を限定しない。当業者によってよく知られている技法、方法及びデバイスは、以下で論考する実施形態を可能にするために当業者がこれらの詳細を知る必要がないので、詳細に論考されていない場合がある。
【００１３】
（実施形態１）
本発明の実施形態１として、本発明を適用した眼底断層画像を処理する画像処理装置について、図面を用いて詳細に説明する。
【００１４】
［ハード構成］
図１（ａ）は眼底断層画像を撮像するＯＣＴ光学系の装置構成の一例を示す図である。
【００１５】
図１（ａ）において、光源００１はＳＬＤ光源であり、光源００１から出射された低コヒーレンス光は、カプラ００２によって、所望の分岐比の下、測定光と参照光とに分岐される。
【００１６】
カプラ００２により分岐された測定光は、コリメータレンズ０２１よりコリメート光となり、サンプル光学系１０２へ出射される。サンプル光学系１０２には、フォーカスレンズ０２２、角度可変であるＸガルバノメトリックミラー０２３とＹガルバノメトリックミラー０２４、対物レンズ系を形成するレンズ０２５、レンズ０２６が配置されている。これらを経由して被検眼０２７の眼底上に、測定光によるビームスポットが形成される。ここで、眼底上に導かれたビームスポットは、Ｘガルバノメトリックミラー０２３とＹガルバノメトリックミラー０２４が駆動されることにより、眼底上で２次元に走査される。被検眼０２７の眼底で反射散乱した測定光は、サンプル光学系１０２を介した後、カプラ００２へ導かれる。
【００１７】
一方、カプラ００２により分岐された参照光は、参照光学系１０３へ導かれ、コリメータレンズ０３１によりコリメート光となり、ＮＤフィルター０３２を通過することにより所定光量に減衰される。その後、参照光はコリメートされた状態を保持したまま、光軸方向に移動可能でサンプル光学系１０２との光路長差を補正することができるミラー０３３により反射され、同じ光路へ折り返される。折り返された参照光は、ＮＤフィルター０３２、コリメータレンズ０３１を介した後、カプラ００２へ導かれる。また、参照光の偏光状態が、偏光制御器００３により測定光の偏光状態に対応するように調整される。
【００１８】
カプラ００２へ戻ってきた測定光と参照光は、カプラ００２により合波され、検出系（もしくは分光器０４６）１０４に導かれる。合波された光はコリメータレンズ０４２によりコリメート光として出射され、回折格子０４３にて分光された後、レンズ０４４を介してラインセンサ０４５で受光され、光強度に応じた干渉信号として出力される。尚、ラインセンサ０４５は、各受光素子が回折格子０４３によって分光された光の波長成分に対応して受光するように配置されている。
【００１９】
図１（ｂ）は、図１（ａ）に示したＯＣＴ光学系及び画像処理装置を含む眼科システム構成の一例を示す図である。
【００２０】
ＯＣＴ光学系にはフォーカスレンズ０２２を移動させるためのフォーカス駆動部０６１が設けられており、Ｘガルバノメトリックミラー０２３、Ｙガルバノメトリックミラー０２４を駆動するためのガルバノ駆動部０６２が設けられている。更に、ミラー０３３を光軸方向に移動させるためのミラー駆動部０６３が設けられており、偏光制御部００３を駆動するための偏光調整駆動部０６４が設けられている。各駆動部と光源００１、ラインセンサ０４５、サンプリング部０５１、メモリ０５２、信号処理部０５３、操作入力部０５６、表示部の一例であるモニタ０５５などは、制御部０５４に接続され、制御部０５４により眼科システム全体の動きが制御されている。ここで、画像処理装置は信号処理部０５３，制御部０５４を含むものである。
【００２１】
なお、サンプリング部０５１、メモリ０５２、モニタ０５５および操作入力部０５６の少なくとも１つを画像処理装置が含むこととしてもよい。また、信号処理部０５３および制御部０５４は、画像処理装置に備えられたＣＰＵ等のプロセッサが、メモリに記憶されたプログラムを実行することで実現される。更に、ＣＰＵ等のプロセッサはメモリ０５２に記憶されたプログラムを実行することでサンプリング部０５１として機能することとしてもよい。
【００２２】
ラインセンサ０４５からの出力信号は、ガルバノ駆動部０６２によって駆動されたガルバノメトリックミラーの任意の駆動位置に応じて、サンプリング部０５１により干渉信号として出力される。続いて、ガルバノ駆動部０６２によってガルバノメトリックミラー０２３，０２４の駆動位置がオフセットされ、その位置における干渉信号が出力される。以降はこの繰り返しで干渉信号が次々に生成される。
【００２３】
サンプリング部０５１でサンプリングされた干渉信号は、メモリ０５２にガルバノメトリックミラーの駆動位置とともに記憶される。メモリ０５２に記憶された干渉信号は、信号処理部０５３により周波数解析され、被検眼０２７の眼底の断層像となる。断層像は、表示制御部の一例である制御部０５４によりモニタ０５５に表示される。ガルバノメトリックミラー０２３，０２４の駆動位置の情報によって、３次元の眼底ボリューム像を生成し、モニタ０５５に表示するようにしてもよい。
【００２４】
制御部０５４は、撮像中の任意のタイミングでバックグラウンドデータを取得する。バックグラウンドデータとは、被検眼０２７に測定光が入射しない状態の信号、即ち参照光のみの信号を指す。例えば、ガルバノ駆動部０６２によりガルバノメトリックミラー０２３、０２４を駆動して、サンプル光学系１０２から測定光が戻らないように測定光の位置を調整した状態で信号取得を行うことで、バックグラウンドデータを取得する。
【００２５】
［スキャンパターン例］
次に、図２を用いて本実施形態のスキャンパターンの一例を説明する。なお、以下に例示する数値は一例であり他の数値に変更することができる。また、ＯＣＴＡ画像の取得が不要な場合には本スキャン例を用いなくともよい。
【００２６】
図２（ａ）は任意のスキャンパターンについて示す図であり、図２（ｂ）は本実施形態で具体的に実行した数値を反映させたスキャンパターンを示す図である。血流によるＯＣＴ干渉信号の時間変化を計測するため、同じ場所で且つ所定時間間隔で複数回の計測が必要となる。本実施形態では、ＯＣＴ光学系は同じ場所でのＢスキャンをｍ回繰り返しつつ、ｎ箇所のｙポジションに移動するスキャンを行う。
【００２７】
具体的なスキャンパターンを図２（ａ）に示す。眼底平面上でｙ１〜ｙｎのｎ箇所のｙポジションにおいて、Ｂスキャンをｍ回繰り返す。ｍが大きいと同じ場所での計測回数が増えるため、血流（血流のある領域）の検出精度が向上する。その一方でスキャン時間が長くなり、スキャン中の眼の動き（固視微動）により画像にモーションアーチファクトが発生する問題と被検者の負担が増える問題が生じる。
【００２８】
本実施形態では両者のバランスを考慮してｍ＝４（図２（ｂ））として実施した。なお、ＯＣＴ装置のＡスキャン速度、被検眼０２７の眼底表面画像の運動解析の結果に応じて、繰り返し数ｍを変更してもよい。ここで、繰り返しの所定間隔を大きくとると早い血流の検出が困難になる。一方、繰り返しの所定間隔を小さくすると毛細血管等の遅い血流の検出能力が下がることになる。
【００２９】
本実施形態では、所定間隔として約２．５ｍｓｅｃとした。ただし、本実施形態では、所定時間として血流の検出が行えれば良く、例えば、約１ｍｓｅｃから約４ｍｓｅｃ（場合によっては数十ｍｓｅｃ）の範囲内が好ましく、より好ましくは約２ｍｓｅｃから約３ｍｓｅｃの範囲内である。この繰り返し間隔も注目する血管に対応して調整することが望ましい。
【００３０】
図２（ａ）においてｐは１つのＢスキャンにおけるＡスキャンのサンプリング数を示している。すなわち、ｐ×ｎにより眼底平面画像サイズが決定される。ｐ×ｎが大きいと、同じ計測ピッチであれば広範囲がスキャンできるが、スキャン時間が長くなり、上述のモーションアーチファクトおよび患者負担の問題が生じる。本実施形態では両者のバランスを考慮してｎ＝ｐ＝３００として実施した。なお、上記ｎ，ｐは適宜任意に変更が可能である。
【００３１】
また、図２（ａ）におけるΔｘは隣り合うｘポジションの間隔（ｘピッチ）であり、Δｙは隣り合うｙポジションの間隔（ｙピッチ）である。本実施形態ではｘピッチ、ｙピッチは眼底における照射光のビームスポット径の１／２として決定し、本実施形態では、１０μｍ（図２（ｂ））とする。ｘピッチ、ｙピッチを眼底上のビームスポット径の１／２とすることで、生成する画像を高精細に形成することができる。
【００３２】
ｘピッチ、ｙピッチを眼底上のビームスポット径の１／２より小さくしても、生成する画像の精細度をそれ以上高くする効果は小さい。逆にｘピッチ、ｙピッチを眼底上のビームスポット径の１／２より大きくすると精細度は悪化するが、小さなデータ容量で広い範囲の画像を取得することができる。臨床上の要求に応じてｘピッチ、ｙピッチを任意に変更してもよい。本実施形態のスキャン範囲は、ｘ方向がｐ×Δｘ＝３ｍｍ、ｙ方向がｎ×Δｙ＝３ｍｍである（図２（ｂ）参照）。
【００３３】
［実施例１：輝度画像を用いた血管層分離］
上述の眼科システムを用い、複数のＯＣＴ画像を取得し、画像内の輝度変化を抽出し、輝度変化の積算をｘ方向で実施することで、血管の層分離を実施した例について記述する。ここで、本実施形態において、血管の評価に適するように分離することを血管の層分離と記載し、層分離された血管を血管層とも記載する。なお、以下に記載する数値は例示であり、他の値とすることとしてもよい。
【００３４】
信号処理部０５３は、図３（ａ）に示す様にＯＣＴ画像３０１〜３０４（眼底の同一箇所から得られたＯＣＴ画像４枚：ｍ＝４）を取得する。図３（ａ）に示す様に、紙面に対して、水平方向がｘ方向、鉛直方向がｚ方向、紙面垂直方向がｙ方向、奥行き方向がｔ（時間）の経過を表示している。
【００３５】
信号処理部０５３は、取得したＯＣＴ画像３０１〜３０４の位置合わせを実施し、加算平均処理を実施する。すなわち、信号処理部０５３は、加算平均画像を取得する。信号処理部０５３は、ＯＣＴ画像３０１と加算平均画像との差分を計測する（差分画像３０１’の取得）。同様に、信号処理部０５３は、ＯＣＴ画像３０２〜３０４と加算平均画像との差分をそれぞれ計測することで差分画像３０２’〜３０４’を取得する。信号処理部０５３は、差分画像３０１’〜３０４’の画像を重ね合せ処理（例えば加算処理）することで輝度変化画像である画像３１０（図３（ｂ）参照）を取得する。なお、破線３１１は説明のための線であり画像３１０には含まれない。
【００３６】
画像３１０において、輝度変化の位置に傾向があり、ｘ方向に輝度変化の点が並んでいる。信号処理部０５３は、輝度変化の並びを層と見なし、輝度変化層３１２〜３１７の領域（分割領域）に分割する。信号処理部０５３は、ｙ方向における輝度変化部分の間隔およびｘ方向における輝度変化部分の直線性から各分割領域へ分類することができる。特に、輝度変化層が顕著に並んでいる輝度変化層３１４の輝度を直線近似し、平行移動させた線が、破線（近似直線）３１１である。信号処理部０５３は、例えば内顆粒層における輝度変化の点（血管）の配列から近似直線である破線３１１を定義する。信号処理部０５３は、例えば、輝度断層像から層境界を検出し、層境界から内顆粒層を特定する。信号処理部０５３は、特定された内顆粒層に対応する位置を画像３１０で特定し、ｘ方向における輝度変化部分を直線近似することで近似直線である破線３１１を定義することができる。
【００３７】
信号処理部０５３は、破線３１１に沿った方向に、画像３１０の輝度変化値を積算する。すなわち、信号処理部０５３は、眼底の断層を示す輝度変化画像（血管強調画像）から深さ方向に交わる方向の画素列の画素値の代表値を取得する取得手段の一例に相当する。ここで、積算値は画素列の画素値の代表値の一例であり、画像３１０は血管強調画像の一例である。また、画素列をなす輝度変化値の中には、他の画素変化値とは形状が大きく異なるものがある。例えば、図３（ｂ）の輝度変化層３１３に含まれる楕円形状の輝度変化値の部分（図３（ｂ）では２か所）である。これは縦（深さ方向）に走行する血管であるため代表値を求める際には除外するようにしてもよい。縦方向の長さが平均の長さより、例えば、２倍以上の部分を除外するようにすればよい。
【００３８】
この積算された輝度変化を示すグラフが図３（ｃ）である。各々の層に該当するグラフのピーク位置に同様の輝度変化層の番号３１２〜３１７を記入した。網膜の断層に対応する層としては、ピーク３１２の血管層は神経線維層に位置する血管層であり、ピーク３１３の血管層は内網状層に血管層であり、ピーク３１４の血管層は内顆粒層付近に位置する血管層であり、ピーク３１５の血管層は外網状層付近に位置する血管層である。ピーク３１６の血管層は、視細胞層より強膜側に位置しており、脈絡膜層の視細胞層側に位置する血管層（脈絡膜毛細血管版）であり、ピーク３１７の血管層は脈絡膜層に位置する血管層である。
【００３９】
以上の処理フローについて、図４を用いて説明する。
【００４０】
ステップＳ４０１において、信号処理部０５３はＯＣＴ画像をｍ枚（例えば４枚）取得する。ステップＳ４０２において、信号処理部０５３は、ｍ枚のＯＣＴ画像の位置合わせを実施し、ｍ枚のＯＣＴ画像を加算平均し、１枚の加算平均画像を取得する。
【００４１】
ステップＳ４０３において、信号処理部０５３は、ｍ枚のＯＣＴ画像と１枚の加算平均画像との差分データ（画像）を各々取得する（ｍ枚取得）。本実施例では、差分の絶対値を差分データとして取得する。
【００４２】
ステップＳ４０４において、信号処理部０５３は、ｍ枚の差分データ（画像）を加算平均し、１枚の差分加算平均画像を取得する。ステップＳ４０５において、信号処理部０５３は差分加算平均画像内の輝度変化層を抽出する。
【００４３】
ステップＳ４０６において、信号処理部０５３は、例えば、各層の硝子体側から３番目の輝度変化層について、直線近似を実施することにより近似直線を定義する。ステップＳ４０７において、信号処理部０５３は、直線近似により定義した近似直線の軸方向の画素列の各輝度変化値を積算する。ステップＳ４０８において、信号処理部０５３は、積算データをグラフ化する。ステップＳ４０９において、信号処理部０５３は、グラフ内のピーク（例えば６本）の情報（輝度値、半値幅、分散値、位置等）を取得する。ステップＳ４１０において、信号処理部０５３は情報（輝度値、半値幅、分散値、位置等）をメモリ０５２に保存する。
【００４４】
そして、信号処理部０５３は例えばピーク位置を中心としてｚ方向の正負それぞれに分散値を幅として持たせた層を血管層として特定する。すなわち、信号処理部０５３は、代表値に基づいて眼底のセグメンテーションを行う処理部の一例に相当する。なお、分散値に所定の係数をかけたものを血管層の幅としてもよい。また、分散値ではなく標準偏差を用いることとしてもよい。
【００４５】
なお、図３（ｃ）のグラフから、各ピーク位置に隣接する極小値までのピーク位置からの距離を血管層の幅としてもよい。また、血管層の中心はピーク位置ではなく、破線３１１のｘ方向の中心または端部等の所定の位置を各ピーク位置に合わせたものであってもよい。
【００４６】
また、制御部０５４は、信号処理部０５３が取得した血管層の中心位置および血管層の幅を示す線の少なくとも一方を輝度断層画像または画像３１０に重畳してモニタ０５５に表示させることとしてもよい。さらに、制御部０５４は、信号処理部０５３が取得した血管層内の輝度変化部分と血管層外の輝度変化部分とは色など異なる表示形態で表示させることとしてもよい。
【００４７】
このような血管層に関する情報（血管層の中心および幅）の重畳表示は全ての層に関して実施してもよいし、一部の層のみで実施することとしてもよい。例えば、ユーザにより指定された深さ位置のみ血管層に関する情報を表示することとしてもよい。
【００４８】
本実施例では、ステップＳ４０６において、第三層目の輝度変化層を直線近似したが、各層の直線近似値の平均、又は、他の層の情報をもとに直線近似しても良い。更には、輝度を積算する方向がｘ軸方向と同一の場合は、ステップＳ４０６の処理を割愛しても良い。
【００４９】
信号処理部０３４は、上記のようにして得られた血管層を用いて輝度のＥｎＦａｃｅ画像を生成することとしてもよい。
【００５０】
上記の実施例によれば、輝度変化部分を考慮して層分離が行われるため、血管の評価に適した層分離が実行される。また、本実施例により生成されたＥｎＦａｃｅ画像は、所望の血管の特徴を示すものであり、血管の評価に適したＥｎＦａｃｅ画像となる。
【００５１】
［実施例２：ＭＣ画像を用いた血管層分離］
［ＭＣ画像の取得］
まず、ＭＣ（モーションコントラスト画像）画像の生成方法について説明する。一枚のＯＣＴＡ画像（モーションコントラスト画像）を生成する方法について、図５を用い説明する。ここで、信号処理部０５３は、被検眼の略同一部位の所定の時間間隔で撮像された複数の断層情報を用いて、略同一部位のモーションコントラスト情報を生成する。そして、信号処理部０５３は、モーションコントラスト情報における深さ範囲の一部の情報を用いて、モーションコントラスト正面画像を生成する。
【００５２】
まず、ステップＳ５０１において、信号処理部０５３はポジションｙｋにおける繰り返しＢスキャン干渉信号（ｍ枚分）を抜き出す。ステップＳ５０２において、信号処理部０５３はｊ番目の断層データ（情報）を抜き出す。ステップＳ５０３において、信号処理部０５３は取得したバックグラウンドデータを上記干渉信号から減算する。
【００５３】
ステップＳ５０４において、信号処理部０５３は、バックグラウンドを減算した干渉信号に対して波数関数に変換処理を施し、フーリエ変換を行う。本実施例では高速フーリエ変換（ＦＦＴ：Ｆａｓｔ  Ｆｏｕｒｉｅｒ  Ｔｒａｎｓｆｏｒｍ）を適用する。ここで、ゼロパディング処理を施しておけば、フーリエ変換後の階調性が増し、後述するステップ５０９において位置合わせ精度を向上させることが出来る。
【００５４】
ステップＳ５０５において、信号処理部０５３は、ステップＳ５０４にて実行したフーリエ変換によって得られる複素信号の絶対値を計算する。この値が当該スキャンの断層像の画素値（輝度値）となる。ステップＳ５０６において、信号処理部０５３はインデックスｊが、所定数（ｍ）に到達したかを判断する。すなわち、ポジションｙｋでの断層画像の輝度計算がｍ回繰り返されたかを判断する。所定数に満たない場合はＳ５０２に戻り、同一Ｙ位置における断層画像の輝度計算を繰り返す。所定数に達した場合は、次ステップへ進む。
【００５５】
また、ステップＳ５０７において、信号処理部０５３はあるｙｋポジションにおけるｍフレームの同一断層画像の中で、画像の類似度を計算する。具体的には、信号処理部０５３はｍフレームの断層画像の内、任意の一枚をテンプレートとして選択し、残りのｍ−１フレームの画像との相関値を算出する。
【００５６】
ステップＳ５０８において、信号処理部０５３はステップＳ５０７で算出した相関値の中で、他の画像との相関が一定の閾値以上である相関の高い画像を選択する。閾値は任意に設定が可能であり、被検者の瞬きや固視微動によって画像としての相関が低下したフレームを排除することができように設定する。
【００５７】
前述したように、ＯＣＴＡでは、被検眼組織のうち流れのある組織（例えば血液）と流れのない組織の間の対比を、画像間の局所相関値に基づき区別する技術である。即ち、流れの無い組織では画像間で相関が高いという前提の上で流れのある組織を抽出するため、画像全体として相関が低い場合、あたかも画像全体が流れのある組織であるかのように誤認識してしまう。このステップではそうした誤認識を回避するために、予め画像として相関の低い断層画像を排除し、相関の高い画像のみを選択する。画像選択の結果、同一ポジションｙｋで取得されたｍフレームの画像は適宜取捨選択され、ｑフレームの画像となる。ここで、ｑの取りうる値は、１≦ｑ≦ｍである。
【００５８】
また、ステップＳ５０９において、信号処理部０５３は、ステップＳ５０８にて選択されたｑフレームの断層画像の位置合わせを行う。位置合わせ用のテンプレートとして選択するフレームは、互いに全ての組み合わせで相関を計算し、フレーム別に相関係数の和を求め、その和が最大となるフレームを選択してもよい。
【００５９】
次に、テンプレートでフレーム毎に照合し位置ずれ量（δＸ、δＹ、δθ）を求める。具体的にはテンプレート画像の位置と角度を変えながら類似度を表す指標であるＮｏｒｍａｌｉｚｅｄ  Ｃｒｏｓｓ−Ｃｏｒｒｅｌａｔｉｏｎ（ＮＣＣ）を算出し、この値が最大となるときの画像位置の差を位置ずれ量として求める。
【００６０】
本実施例では、類似度を表す指標は、テンプレートとフレーム内の画像の特徴の類似性を表す尺度であれば種々変更が可能である。例えばＳｕｍ  ｏｆ  Ａｂｓｏｌｕｔｅ  Ｄｉｆｆｅｒｅｎｃｅ（ＳＡＤ）、Ｓｕｍ  ｏｆ  Ｓｑｕａｒｅｄ  Ｄｉｆｆｅｒｅｎｃｅ（ＳＳＤ）、Ｚｅｒｏ−ｍｅａｎｓ  Ｎｏｒｍａｌｉｚｅｄ  Ｃｒｏｓｓ−Ｃｏｒｒｅｌａｔｉｏｎ（ＺＮＣＣ）、Ｐｈａｓｅ  Ｏｎｌｙ  Ｃｏｒｒｅｌａｔｉｏｎ（ＰＯＣ）、Ｒｏｔａｔｉｏｎ  Ｉｎｖａｒｉａｎｔ  Ｐｈａｓｅ  Ｏｎｌｙ  Ｃｏｒｒｅｌａｔｉｏｎ（ＲＩＰＯＣ）等を用いてもよい。
【００６１】
次に、信号処理部０５３は位置ずれ量（δＸ、δＹ、δθ）に応じて位置補正をテンプレート以外の（ｑ−１）フレームに適用し、フレームの位置合わせを行う。ｑが１である場合はこのステップは実行されない。
【００６２】
また、ステップＳ５１０において、信号処理部０５３はＭＣ値を算出する。本実施例では、ステップＳ５０８で選択し、ステップＳ５０９で位置合わせを行ったｑフレームの輝度画像間において、同じ位置のピクセルごとに分散値を計算し、その分散値をＭＣ値（モーションコントラスト値）とする。ＭＣ値の求め方は種々あり任意の方法を用いることができる。
【００６３】
なお、本実施例においてＭＣ値は同一Ｙ位置での複数の断層画像の各ピクセルの変化（フーリエ変換後の輝度・位相等）を表す指標であれば適用が可能である。尚、ｑ＝１の時、即ち、瞬きや固視微動の影響のために画像として相関が低く、同一ポジションｙｋの位置においてＭＣ値の算出が不可能な場合は異なる処理を行う。例えば、ＭＣ値を０としてステップを終了しても良いし、前後ｙｋ−１、ｙｋ＋１の画像におけるＭＣ値が得られる場合、前後の分散値から値を補間しても良い。この場合、正しく計算できなかったＭＣ値は補完値であるとして異常を通知しても良い。また、ＭＣ値の計算が出来なかったＹ位置を記憶しておき、自動で再スキャンを行っても良い。或いは、自動の再スキャンを行うことをせず、再測定を促す警告を出しても良い。
【００６４】
ステップＳ５１１において、信号処理部０５３はステップＳ５０９にて位置合わせを行った輝度画像を平均し、平均輝度画像を生成する。
【００６５】
ステップＳ５１２において、信号処理部０５３は、ステップＳ５１０で出力したＭＣ値の閾値処理をする。閾値の値は信号処理部０５３がステップＳ５１１で出力した平均輝度画像から、ノイズフロアでランダムノイズのみが表示されている領域を抽出し、標準偏差σを計算し、ノイズフロアの平均輝度値＋２σと設定する。
【００６６】
信号処理部０５３は、各輝度値が、上記閾値以下の領域に対応したＭＣ値を０に設定する。この閾値処理により、ランダムノイズに由来するＭＣ値を除去することでノイズを軽減することができる。閾値の値は小さいほどＭＣ値の検出感度は上がる一方、ノイズ成分も増す。また、大きいほどノイズは減るがＭＣ値の検出感度は下がる。本実施例では、閾値をノイズフロアの平均輝度値＋２σとして設定したが、閾値はこれに限るものではない。
【００６７】
ステップＳ５１３において、信号処理部０５３はインデックスｋが、所定数（ｎ）に到達したかを判断する。すなわち、ｎ箇所の全てのＹ位置において、画像相関度計算、画像選択、位置合わせ、平均輝度の算出、ＭＣ値の算出、及び閾値処理を行ったかを判断する。所定数に満たない場合はステップＳ５０１に戻り、所定数に到達した場合は、次のステップＳ５１４へ進む。
【００６８】
ステップＳ５１３を終了した時点で、すべてのＹ位置での断層画像における平均輝度画像とｎ箇所のＹ位置における近接した複数のモーションコントラスト情報のセットであるＭＣ値３次元ボリュームデータが生成されたことになる。ステップＳ５１４では生成された３次元のＭＣ値（モーションコントラスト情報）に対し、深さ方向に積算したモーションコントラスト正面画像、いわゆる通称ＯＣＴＡ正面画像を生成する。この時、ＯＣＴＡ正面画像の生成にあたり、積算する深さ範囲は任意に設定して良い。例えば、ステップＳ５１１にて生成された平均輝度画像を元に眼底網膜の層境界を抽出し、所望の層を含むようにＯＣＴＡ正面画像を生成することが好適である。ＯＣＴＡ正面画像を生成した後、信号処理部０５３は信号処理フローを終了する。
【００６９】
以上説明した装置構成、撮像方法、信号処理手順を用いることにより、所望領域においてＯＣＴＡの撮像と、ＯＣＴＡ画像の生成が可能となる。本実施例では、ｍ＝４の条件下でＯＣＴＡ画像（モーションコントラスト画像）を取得している。
【００７０】
取得したＯＣＴＡ画像の一例を図６に示す。例えば、黄斑部を撮像した３次元のＭＣ情報に対して、積算する深さ範囲を網膜表層側数層に限定すると図６（ａ）の如くの網膜表層のＯＣＴＡ正面画像が得られ黄斑周辺の眼底血管６０１が抽出できる。もちろん本発明が対象とする深さ範囲は網膜表層のみに限るものではなく、深さ範囲を網膜深層、脈絡膜等に指定したＯＣＴＡ正面画像から各々の層の血管を抽出できることは言うまでもない。
【００７１】
上記のようにして生成されたＭＣ画像から血管層分離を行う例について説明する。
【００７２】
信号処理部０５３は、図６（ａ）の様に、ｍ＝４のＯＣＴ画像６０１（眼底の同一箇所から得られたＯＣＴ画像４枚）を取得する。図６（ａ）に示す様に、紙面に対して、水平方向がｘ方向、鉛直方向がｚ方向、紙面垂直方向がｙ方向、奥行き方向がｔ（時間）の経過を表示している。
【００７３】
図５のフローに準じ、信号処理部０５３は図６（ｂ）に示すＭＣ画像６１０を取得する。ＭＣ画像６１０は血管強調画像の一例である。図６（ｂ）のＭＣ画像６１０において、信号処理部０５３はｘ方向に輝度の積算値を計測する。信号処理部０５３は、輝度の計算を実施する際、血管の層が傾いていることがある為、事前に、血管の層の傾きθ（シータ）を計測する。計測方法は、θを順次傾け（ＭＣ画像自体を傾けても良いし、積算方向自体を傾けてもよい）、輝度ピーク（例えばピーク６１７）が最大になるθを検出する等を行い傾きθが得られる。
【００７４】
本実施例では、傾きθは３°で、破線６１１の傾きを有していることが分かった。傾きθを考慮したｘ方向のＭＣ画像の輝度積算値は、図６（ｃ）の様に得られた。すなわち、図６（ｃ）は、破線６１１の方向にＭＣ画像３１０を積算した値のプロファイルである。図６（ｃ）の各々のピーク６１２〜６１７は、図（ｂ）の６１２〜６１７に該当している。網膜の断層に対応する層としては、ピーク６１２の血管層は神経線維層に位置する血管層であり、ピーク６１３の血管層は内網状層に血管層であり、ピーク６１４の血管層は内顆粒層付近に位置する血管層であり、ピーク６１５の血管層は外網状層付近に位置する血管層である。ピーク６１６の血管層は視細胞層より強膜側に位置しており、脈絡膜層の視細胞層側に位置する血管層（脈絡膜毛細血管板）であり、ピーク６１７の血管層は脈絡膜層に位置する血管層である。
【００７５】
以上の処理フローについて、図７を用い、説明する。
【００７６】
ステップＳ７０１において、信号処理部０５３は、図５に示すフローチャートに従ってＭＣ画像を取得する。ステップＳ７０２において、信号処理部０５３は、ＭＣ画像の輝度をｘ方向（ｙ方向でも良い）に積算し、グラフ化する。信号処理部０５３は、グラフ化した後、ピークが最大になるように、ＭＣ画像または積算方向を傾ける。ピークが最大になる傾きθを取得する。
【００７７】
ステップＳ７０３において、信号処理部０５３は、ＭＣ画像をθ傾け、ｘ方向に積算する。ステップＳ７０４において、信号処理部０５３は、ＭＣ画像をθ傾け、ｘ方向に積算する。ステップＳ７０５において、信号処理部０５３は積算データをグラフ化する。ステップＳ７０６において、グラフ化したデータから、ピーク情報（輝度値、半値幅、分散値、位置など）を取得する。
【００７８】
ステップＳ７０６において、信号処理部０５３はピーク情報をメモリ０５２に保存する。そして、信号処理部０５３は例えばピーク位置を中心としてｚ方向の正負それぞれに分散値を幅として持たせた層を血管層として特定する。なお、分散値に所定の係数をかけたものを血管層の幅としてもよい。また、分散値ではなく標準偏差を用いることとしてもよい。なお、図６（ｃ）のグラフから各ピーク位置に隣接する極小値までピーク位置からの距離を血管層の幅としてもよい。また、血管層の中心はピークの位置ではなく、破線６１１のｘ方向の中心または端部等の所定の位置を各ピーク位置に合わせたものであってもよい。
【００７９】
また、制御部０５４は、信号処理部０５３が取得した血管層の中心位置および血管層の幅を示す線の少なくとも一方を輝度断層画像または画像６１０に重畳してモニタ０５５に表示させることとしてもよい。さらに、制御部０５４は、信号処理部０５３が取得した血管層内の輝度変化部分と血管層外の輝度変化部分とは色など異なる表示形態で表示させることとしてもよい。
【００８０】
このような血管層に関する情報（血管層の中心および幅）の重畳表示は全ての層に関して実施してもよいし、一部の層のみで実施することとしてもよい。例えば、ユーザにより指定された深さ位置のみ血管層に関する情報を表示することとしてもよい。
【００８１】
本実施例では、ＭＣ画像の輝度分布が傾いていた為、ステップＳ７０２を実施したが、傾いていない際は、ステップＳ７０２が無くても良い。また、ＭＣ画像を傾けるのではなく、積算方向を傾けることとしてもよい。
【００８２】
信号処理部０３４は、上記のようにして得られた血管層を用いて輝度のＥｎＦａｃｅ画像を生成することとしてもよい。
【００８３】
血管層に基づくＥｎｆａｃｅ画像を図９に示す。ピーク６１２に該当する血管層の平面画像は図９（ａ）の様になる。ピーク６１３に該当する血管層の平面画像は図９（ｂ）の様になる。ピーク６１４に該当する血管層の平面画像は図９（ｃ）の様になる。ピーク６１５に該当する血管層の平面画像は図９（ｄ）の様になる。ピーク６１６に該当する血管層の平面画像は図９（ｅ）の様になる。ピーク６１７に該当する血管層の平面画像は図９（ｆ）の様になる。
【００８４】
本実施例の様に、血管層によるＥｎｆａｃｅ画像を表示している為、従来の、網膜層による分離に比べて、血管のみの情報が抽出できる為、血管の診断に非常に有効である。特に、眼底黄斑部の無血管領域（ＦＡＺ）はピーク６１５に対応する図９（ｃ）に示すＥｎＦａｃａ画像で明確に確認でき、ＦＡＺ９０１を容易に計測できる。
【００８５】
信号処理部０５３は、図９（ｃ）に示すＥｎＦａｃａ画像からＦＡＺ９０１の大きさを計測することができる。なお、ＦＡＺを取得する際は、第三層の血管（図９（ｃ））から計測する、等、信号処理部０５３は診断目的により適切な血管層を適宜抽出することとしてもよい。
【００８６】
以上の様に、本実施例によれば、無血管領域の抽出など、各血管層の情報を正確に取得することができる。眼底ＦＡＺを取得する際は、第三層の血管（図９（ｃ））から計測する、等、適宜、診断により、適切な血管層を抽出する。
【００８７】
図７（ｂ）の様に、血管層でＥｎｆａｃｅ画像を提供する際、血管層の名称を表示（本実施例では、上位より１〜６と数字でナンバリングし、本表示層は“第５層”と記している）することで、医師に分かり易く情報を提供できる。
【００８８】
図７（ｂ）の例では、ＭＣ画像７５１およびＭＣのＥｎＦａｃｅ画像７５２および表示する画像を選択するためのＵＩ７５０が制御部０５４の制御によりモニタ０５５に表示されている。
【００８９】
同様に、図７（ｃ）の様に、第６層の血管層を表示する際、ＭＣ画像から取得したグラフを並列に表示することで、どのピークに該当した層なのかを分かり易く表示している。図７（ｃ）の例ではＭＣ画像のＸ方向のモーションコントラスト値の積算値を示すプロファイル７８０とＭＣのＥｎＦａｃｅ画像７８１が、制御部０５４の制御によりモニタ０５５に表示されている。
【００９０】
上記の実施例によれば、血管部分を考慮して層分離が行われるため、血管の評価に適した血管分離が実行される。また、本実施例により生成されたＥｎＦａｃｅ画像は、所望の血管の特徴を示すものであり、血管の評価に適したＥｎＦａｃｅ画像となる。
【００９１】
以上、本実施例では、ｘ方向のプロファイルで血管層分離を実施したが、ｙ方向のプロフィルで血管層分離を実施しても同様の効果が得られる。更に、積算するｘ方向のデータ量は少ない方がｚ方向のばらつきが少なく、血管層分離が可能となる。その為、ｘ方向について、分割領域を所望の値に設定し、各血管層を抽出しても良い。
【００９２】
［実施例３］
実施例１，２に示した技術により血管を血管の層で分離することができる。本実施例では血管層の分離結果を用いて、各独立した血管層による検査結果を提供することが出来る。
【００９３】
例えば、同一被検眼に対して、経時変化を観察する際に、信号処理部０５３は、血管のピーク強度、ピークの半値幅、積分値、分散値などから変化率を算出することが出来る。そして、制御部０５４は、算出された各データをモニタ０５５に表示させることで、医師等はどの血管層において、新生血管や、血管の損失、欠損、が発生しているかを早期に検出できる。
【００９４】
血管層の分布（ピーク半値幅）の情報は本実施例の様に、血管層を分離して、解析することのみで得ることが出来る情報である。具体的な疾患画像例として、図８を用い説明する。
【００９５】
図８（ａ）の画像８０１はＭＣ信号のみを表示した画像である。図８（ａ）の黒点８０２はＯＣＴ画像で時間的変化を有したエリア（点）である。黒点８０３も同様である。黒点８０２は網膜表層部の血管で、黒点８０３は脈絡膜のエリアの血管である。
【００９６】
図８（ａ）の画像において、信号処理部０５３は、ａ、ｂ、ｃ、ｄ、ｅ、ｆの矢印位置の血管をｘ方向で輝度加算（黄斑部は曲線）すると、図８（ｂ）のデータが取得できる。このａ、ｂ、ｃ、ｄの矢印の位置は、輝度断層画像のＡスキャン方向のプロファイルのピーク位置から特定することが可能である。なお、ａ、ｂ、ｃ、ｄの矢印の位置を特定するためのＡスキャンは複数のＡスキャンの積算値を用いることとしてもよい。
【００９７】
本来、血管層ｄとｅの間には血管はない。しかし、本実施例の黒点８０４の様に、血管が存在しない領域に血管の信号が得られた際には、信号処理部０５３は、新生血管と判定することが出来る。信号処理部０５３は、図６（ｃ）の様なグラフの場合は、半値幅が増える、分散値が増える、ピークが新たに発生する、などの事象に基づいて、新生血管をより精度高く、検出できる。
【００９８】
［実施例４］
本実施例では実施例２等で生成した各血管層のＥｎＦａｃｅ画像を用いて新たな情報を提供する。
【００９９】
従来では、血管層分離を実施していない為、血管層毎のデータの合成または差分処理が出来なかったが、本実施例を用いると、容易に実施できる。
【０１００】
例えば、信号処理部０５３は、図９（ａ）の画像と、図９（ｅ）の画像との比較処理又は合成処理を実施することで、血管層の連携を確認することが可能な画像を生成出来る。その他、図９（ａ）と図９（ｅ）の差分等、図９（ａ）〜（ｆ）の画像を用い、新生血管、血管瘤、を検出する為に合成処理または差分処理を実施することで注目血管の描出が実施できる。
【０１０１】
本実施例は、経時変化についても、同様の処理を実施することで、精度の高い経時変化に関する情報（病変部の状態の変化等）を提供することが出来る。
【０１０２】
［実施例５］
本実施例では、網膜層情報と、血管情報を用い、診断情報を提供する例について説明する。
【０１０３】
実施例１と同様に、図１０（ａ）の様に、信号処理部０５３は、ＯＣＴ画像１００１を取得する。信号処理部０５３は、ＯＣＴ画像から黒の破線１００２の様に、各網膜層のセグメンテーション１００２を実施する。その後、実施例１と同様に、信号処理部０５３は、図１０（ｂ）のように、ＭＣ画像１０１０を取得する。図１０（ｂ）に示すＭＣ画像６１０上にセグメンテーション結果１００２を重畳させると、各層境界を示す破線１０１８〜１０２３の様になる。
【０１０４】
本実施例においても、信号処理部０５３は、実施例２等と同様に血管層分離を実施し、各血管層１０１２〜１０１７が取得できる。なお、各セグメンテーションを直線近似し、傾きの平均値を血管層の傾きθとして算出し、ＭＣ画像上の輝度を傾きθの軸方向に積算する。積算データ（図示せず）は図６（ｃ）とほぼ同様の結果となった。
【０１０５】
図１０（ｂ）の様に、網膜層の分離情報がある為、血管層の位置情報がより明確にユーザに伝達することが出来る。特に、図１０（ｂ）の破線１０２３は視細胞層であり、血管層１０１６、１０１７が明確に脈絡膜の血管であることが分かり、脈絡膜の血管が視細胞層を超えるような疾患が特に判定しやすくなる。表示結果例を図１０（ｃ）に示す。
【０１０６】
図１０（ｃ）のボタン１０５１の様に、ユーザにより、画像の選択が可能で、選択した画像が表示され、ｉｍａｇｅボタンで、各画像が重畳され、相関が視認できる。図１０（ｃ）の様に、ＭＣ画像１０５２や、解析データ１０５３も表示してもよい。
【０１０７】
なお、制御部０５４は、輝度断層画像から得られた網膜層境界および実施例２等で得られた血管層に関する情報（血管層の中心および幅）をＭＣ画像上に重畳することとしてもよい。また、制御部０５４は、ＭＣ画像ではなく輝度断層画像上に輝度断層画像から得られた網膜層境界および血管層に関する情報（血管層の中心および幅）を重畳させることとしてもよい。
【０１０８】
なお、制御部０５４は、第１〜第６層のいずれの血管層であるのかを示す情報（例えば層の数字）を併せてモニタ０５５に表示させることとしてもよい。モニタ０５５に表示される血管層に関する情報は血管層の中心および血管層の幅の一方のみであってもよい。なお、血管層外かつ輝度断層像から得られた層境界内の血管部分を、血管層内かつ輝度断層像から得られた網膜層境界内の血管部分とは色など異なる表示形態でモニタ０５５に表示させるとしてもよい。
【０１０９】
［実施例６］
本実施例は、脈絡膜の血管層の下端を脈絡膜層と強膜の境界と定義し、視細胞層１０２３から脈絡膜血管層１０１７の血管端の距離を計測し、脈絡膜の計測を実施した例について、説明する。
【０１１０】
具体的には、図１０（ｂ）において、信号処理部０５３は、ピーク１０１７の最下端（ｚ軸方向：強膜側）の集合を線１０２４（図１０（ａ）参照）で結ぶことで、脈絡膜血管の最下端をセグメンテーションする。
【０１１１】
ＲＰＥ層を示す破線１０２３と脈絡膜血管の最下端１０２４の幅（厚み）を計測し、厚み分布を図１０（ｄ）の１０５０の様に示すことで、脈絡膜層厚を計測し、且つ、眼底における厚み分布を表示することで、健常眼データベースのデータや、前回の検査データ（経時変化）、と比較することで、正常・異常の判定や、経時変化の様子を視認することが出来る。
【０１１２】
以上の様に、ＯＣＴ画像を用い、網膜の血管層を抽出することで、疾患の早期診断、血管の異常を正確に数値で把握することが出来る。
【０１１３】
［実施例７］
図３（ｃ）取得した血管情報、血管層（輝度変化層）３１２〜３１７を用い、以下の様に解析する。まず、血管層３１２〜３１７の各々のピーク３１２’〜３１７’を算出し、ピーク間距離情報を取得する。ピーク間情報から、対象とする被検眼が疾患である可能性を示唆（表示）する。例えば、血管層間隔を正常眼データと比較し、異なる際は、黄斑疾患であることを示唆する、等である。
【０１１４】
更に、図９に示す様に、血管層（３１２〜３１７）において、Ｅｎｆａｃｅ画像を作成する際に、各々の血管輝度グラフにおいて、ＦＷＨＭ（半値幅）の領域を血管層と定義し、Ｅｎｆａｃｅ画像を出力すると、血管の形状がより良く描写される。
【０１１５】
また、図７（ｂ）の様に、網膜層を基準とした血管層の位置情報を提供することで、網膜疾患を示唆することが出来る。例えば、近視眼においては、眼球形状が変形することが知られている。特に、眼軸が伸びることがあり、その際に、血管の位置は変化せず、網膜だけが菲薄化する為、内境界膜（７１８）を基準に、血管層３１２〜３１７の位置情報を表示することで、網膜の変形（疾患）を早期に発見することが可能となる。
【０１１６】
［実施例８］
図３（ｂ）の破線３１１の様に、血管層抽出の際、直線の傾きを計測していたが、画角が広い図１１に示したＯＣＴ画像１１０１の様な画像の場合は、ＲＰＥ（色素上皮層）１１０２の様な主要な層を反映し、この層の近似曲線を求めて、求めた近似曲線に沿った画素列の輝度値を積算し血管ピークを抽出しても良い。特に、ＲＰＥ（色素上皮層）を用いることで良好な結果が得られる。なお、視神経乳頭部の領域は、輝度値の積算は行わないようにするとよい。
【０１１７】
［変形例］
上記の各実施例においては、血管層を検出するためにｘ方向に輝度値を積算していたが、加算平均を行うこととしてもよい。積算値および加算平均値は代表値の一例に相当する。
【０１１８】
（その他の実施形態）
以上、実施形態例を詳述したが、開示の技術は例えば、システム、装置、方法、プログラム若しくは記録媒体（記憶媒体）等としての実施態様をとることが可能である。具体的には、複数の機器（例えば、ホストコンピュータ、インタフェース機器、撮像装置、ｗｅｂアプリケーション等）から構成されるシステムに適用しても良いし、また、一つの機器からなる装置に適用しても良い。
【０１１９】
また、本発明の目的は、以下のようにすることによって達成されることは言うまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【０１２０】
なお、上述した実施例および変形例は適宜組み合わせて実施してもよい。
【符号の説明】
【０１２１】
０５３  信号処理部
０５４  制御部
０５５  モニタ
【図１】
2019150554.tif 000003
【図２】
2019150554.tif 000004
【図３】
2019150554.tif 000005
【図４】
2019150554.tif 000006
【図５】
2019150554.tif 000007
【図６】
2019150554.tif 000008
【図７】
2019150554.tif 000009
【図８】
2019150554.tif 000010
【図９】
2019150554.tif 000011
【図１０】
2019150554.tif 000012
【図１１】
2019150554.tif 000013